(57)【要約】ディスクカートリッジは、ディスクドライブとの係合に対して中心ハブを有するディスクを有する。該ディスクは、筐体において収容される。筐体及びディスクは、ディスクの平面に対して平行及び垂直である方向において限られた隙間があるよう寸法を取られる。カートリッジは、カートリッジがディスクドライブから離れている際カートリッジ筐体の一側に対してディスクを固定するよう、磁石等の固定部材を有する。筐体及びディスクは、望ましくはディスクの中心の近くに協働するセンタリング部材を有し、ディスクが固定部材によって筐体に対して固定される際にカートリッジ筐体に対してディスクをセンタリングするようにする。このようにして、ディスクは常に、ディスクドライブによる次の係合に対して正しい位置にある。
2007519154.tif 000002
【特許請求の範囲】
【請求項１】
ディスクカートリッジであって：
ディスクと；
前記ディスクが収容される筐体と；
を有し、
前記ディスクは、前記ディスクを回転させるディスクドライブとの係合に対して中心ハブを有し、
前記カートリッジは、前記カートリッジが前記ディスクドライブから離れている際、前記カートリッジの筐体の一側に対して前記ディスクを固定するよう固定部材を有し、
前記筐体及び前記ディスクは、前記ディスクが前記固定部材によって前記筐体に対して固定される際、前記ディスクを前記カートリッジ筐体に対してセンタリングするよう協働するセンタリング部材を有する、
カートリッジ。
【請求項２】
前記筐体及びディスクは、周辺円錐部を有し、夫々他方は前記円錐部分と係合し得る周辺部を有する、
請求項１記載のカートリッジ。
【請求項３】
前記円錐部は、前記筐体の前記内壁上の突出上に与えられ、
前記ディスクの前記周辺部は、前記ハブにおいて与えられる、
請求項２記載のカートリッジ。
【請求項４】
前記ハブは、カップ形状であり、
前記カップの内側端部は、前記突出の前記円錐部と協働する前記ディスクの前記周辺部を形成する、
請求項３記載のカートリッジ。
【請求項５】
前記固定部材は、前記ディスク及び筐体上の少なくとも磁化要素と磁化可能要素とを有する、
請求項１乃至４のうちいずれか一項記載のカートリッジ。
【請求項６】
前記磁化要素は、前記突出を形成し、前記突出上に前記円錐部が与えられ、
前記ハブは、磁化可能材料で作られる、
請求項３及び５記載のカートリッジ。
【請求項７】
前記カップ形状のハブの前記内側端部と前記磁化要素の前記円錐部とは、前記ディスクが前記筐体に対して固定される際、互いに対して略直線状に接触し、
前記磁化要素の残りの部分は、前記ディスクを有さない、
請求項４及び６記載のカートリッジ。
【請求項８】
前記磁化要素は、環状であり、
前記筐体の壁は、前記壁に対して前記磁化要素を固定するよう前記環状の磁化要素の前記中心を係合させる突出部を有する、
請求項５乃至７のうちいずれか一項記載のカートリッジ。
【発明の詳細な説明】
【技術分野】
【０００１】
本発明は、ディスクカートリッジに係る。該ディスクカートリッジは、ディスクを回転させるディスクドライブとの係合に対して中心ハブを有するディスク、及び、ディスクが回転可能に収容されるカートリッジ筐体を有する。筐体及びディスクは、ディスクの平面に対して平行及び略垂直である方向において制限された隙間があるよう寸法を取られる。カートリッジは、カートリッジがディスクドライブから離れている際、カートリッジ筐体の一側に対してディスクを固定するよう固定部材を有する。
【背景技術】
【０００２】
従来技術は、カートリッジがディスクドライブから離れている際、カートリッジ筐体の一側に対してディスクを固定するよう固定部材として磁石を有する。該磁石は、例えば米国特許第５，０９０，０１０Ａ号明細書（特許文献１）に参照される通り、筐体に対して取り付けられ、ディスクのハブを引き付けるよう適合される。
【特許文献１】米国特許第５，０９０，０１０Ａ号明細書
【発明の開示】
【発明が解決しようとする課題】
【０００３】
本発明は、改良されたディスクカートリッジを与えることを目的とする。
【課題を解決するための手段】
【０００４】
本発明によれば、カートリッジ筐体及びディスクドライブは、ディスクが固定部材によって筐体に対して固定される際、カートリッジ筐体に対してディスクをセンタリングするよう協働するセンタリング部材を有する。本発明に従ったディスクカートリッジは、請求項１において定義付けられる。
【０００５】
センタリング部材によって、ディスクが固定部材によってカートリッジ筐体の一側に対して動かされる際、ディスクは、半径方向において中心の位置へと常に移動される。この結果、ディスクは、ディスクドライブとの次の係合に対して常に正しい位置にある。これによって、ディスクドライブの係合部材とディスクのハブとの間の係合は容易になる。これは、ディスクカートリッジにおいて耐性を有することに対して限られた能力を有する小さなディスクドライブにおいて特に重要である。
【０００６】
請求項２において定義付けられた実施例によれば、センタリング効果を作り出す円錐部がある。これは、この機能を実行する簡単な手段である。請求項３において定義付けられる実施例において、センタリング機能は、ディスクドライブによって係合されるディスクの部分に対して可能な限り近く、ディスクの中心の近くで実行される。
【０００７】
請求項４において定義付けられる実施例は、多くのディスクがカップ形状であるハブを有する非常に簡単な構造をもたらすため、標準的ディスクが使用され得る。
【０００８】
効果的且つ簡単な固定手段は、請求項５において定義付けられる。
【０００９】
本発明の有利な実施例は、請求項６において定義付けられる。この実施例では、固定機能及びセンタリング機能はいずれも、磁化要素によって実行され、固定手段及びセンタリング手段の非常に簡単且つ効果的な構造をもたらす。
【００１０】
請求項７は、更なる有利な一実施例を定義付ける。ハブと磁化要素との間の直線状の接触は、ディスクとカートリッジとの間の十分に強い固定力を与えるが、該接触は、ディスクがディスクドライブ内で作動位置へと移動されるべき際には、容易に絶たれる。
【発明を実施するための最良の形態】
【００１１】
本発明のこれらの及び他の面は、以下に説明される例を参照して明らかに及び説明される。
【００１２】
図面は、ディスクカートリッジの一実施例を図示する。当該ディスクカートリッジの主要構成部品は、ディスク１及びカートリッジ筐体２である。ディスクは、データを伝送するプラスチック部分３、及び、接着又は他の適切な取付け方法等によって部分３に対して接続された中心金属ハブ４を有する。図示された実施例において、ディスク１は、光ディスクであり、特には、約２０ｍｍ乃至４０ｍｍ等の小さな直径を有するブルーレイ・ディスクである。該ディスクは、ピックアップユニットがディスクからデータを読み込むこと及び／又はディスク上にデータを書き込むことができるよう、ディスクドライブと協働するよう意図される。
【００１３】
ディスク１は、筐体２において回転可能に収容される。筐体２は、互いに対して及び収容されたディスク１に対して平行に延びる２つの略平面である壁５及び６、及び、壁５と壁６とを相互接続させる周辺壁７を有する。筐体２の周辺形状は、円形、矩形、又は他の適切な形状であり得る。筐体２は、望ましくは可能な限り薄い。筐体２は通常、光学ピックアップユニットがディスク１のデータ伝送部分３上で情報に対するアクセスを獲得し得るよう、（閉鎖可能である）開口（図示せず）を有する。あるいは、該筐体は、筐体を開く及び閉じるよう、複数の可動である部分を有し得る。
【００１４】
筐体２の中心において、ハブ開口８は、壁６において形成される。このハブ開口８によって、ディスクドライブのシャフトは、ディスク１のハブ４と係合することが可能となる
図示される通り、ハブ４は、カップ形状（図中は上下逆）であり、ハブ４の底部９は、係合手段１０を備えられ、例えば中心開口及び更なる偏心開口（図示せず）を有する。ハブ４は、部分的にハブ開口８へと延びる。
【００１５】
図２及び図４から明らかである通り、ディスク１及び筐体２は、ディスクの平面に対して略垂直である方向において、及び、ディスク１の平面に対して平行である方向において、限られた隙間があるよう寸法をとられる。この隙間は、ディスクがディスクドライブによって係合される際、筐体２の壁５乃至７によって干渉されずにディスク１の回転を可能にするよう必要である。しかしながらこの隙間は、ディスクカートリッジがディスクドライブから離れている際、筐体２におけるディスク１の所望されない動きをもたらし得る。これは、ディスク１のがたつき及び所望されない摩耗、並びにディスク１上の傷及び埃に繋がり得る。
【００１６】
ディスクドライブと係合していない際にディスク１が筐体２内で動くことを防ぐよう、固定手段は、カートリッジがディスクドライブから離れている際にカートリッジ筐体２の一側に対してディスク１を固定するよう与えられる。当該実施例において、固定手段又は固定部材は、磁化要素であり、ここでは永久磁石１１である。磁石１１は、環状形であり、磁石１１の軸は、ディスク１の回転の所望の軸と位置を合わせられる。磁石１１は、この場合では環状磁石１１の中心開口へと入る筐体壁５上の突出１２を用いて、壁５に対して固定される。接着剤又は他の粘着手段は、磁石１１を壁５に対して固定する。
【００１７】
磁石１１は、環状の断面を有し、壁５に隣接する部分において、磁石１１は、壁５から他の壁６に向かってテイパする円錐形のセンタリング部１３を備えられる。この円錐部１３は、例えばスチールである磁化可能であるカップ形状のハブ４の内側端部１４と協働するよう意図される。そのため、円錐部１３の最大直径は、端部１４の直径より大きく、円錐部の最小直径は、端部１４の直径より小さい。
【００１８】
センタリング部１４の機能は、ディスク１が停止位置において固定され得るよう磁石１１によって引き付けられる際にディスクをセンタリングする、ことであり、カートリッジはディスクドライブの外側にある。ディスク１は、このセンタリング効果によって筐体に対して正しい半径方向の位置において固定される。カートリッジ筐体がディスクドライブにおいて正しく位置付けられる場合、ディスクドライブの係合手段はディスクの係合手段と正しく位置合わせされるため、これは、ディスクドライブによるディスク１の新しい係合を容易にする。ディスクが固定された位置から図２に従った作動可能である駆動位置に動かされる際、ハブ４は、磁石１１から離れて動き、隙間は、ディスク１の回転が筐体２と接触することなく可能となるよう、軸方向及び半径方向のいずれにもおいてハブ４と磁石１１との間に作り出される。固定された位置において、ハブ４及び磁石１１は、端部１４の位置において直線状に接触し、この直線状の接触は、十分な固定力を可能にするが、ディスクドライブによる磁石１１からのハブ４の容易な引出しもまた可能とする。
【００１９】
本発明は、カートリッジがディスクドライブから離れている際に停止位置においてディスクを固定及びセンタリングする、非常に簡単且つ効果的な手段を有するディスクカートリッジを与える、ことは、前述より明らかである。
【００２０】
示された実施例の複数の変形及び代替案は、考えられ得る。例えば、センタリング手段は、例えば筐体壁の一部分として、磁石から離れて与えられ得る。更には、円錐部は、ディスクのハブ上に形成され得る。筐体の円錐部はまた、ディスクの外側周辺と協働し得るが、センタリング効果は、ディスクの中心の近くで実行される場合により的確である。固定された位置において、特にセンタリング手段が磁石において一体化されていない場合、ハブと磁石との間に直接接触を有する必要は無い。
【００２１】
あるいは、磁化要素の代わりに、固定部材は、特にはスプリング手段である機械的固定部材を有し得る。このスプリング手段に対する作動機構は、カートリッジがディスクドライブにおいて搭載される際にスプリング手段の動作を停止させ、カートリッジがディスクドライブから離れる際に再度始動させるよう、筐体の壁を介して突出し得る。
【００２２】
本明細書及び請求項における単数形の記載は、夫々の要素の複数の存在を除外するものではなく、「有する」という記載は、追加的な要素又は段階を除外するものではない、ことは留意される。
【００２３】
示された実施例において、ディスクは、光データディスクである。しかしながら、本発明はまた他のあらゆる種類のディスクに対して使用され得る。該ディスクは、例えば、強誘電性ディスク、磁気ディスク、光磁気ディスク、近接場ディスク、活性電荷蓄積ディスク、あるいは、これらの技術又は他の読込み及び／又は書込み技術の組合せを使用する他のディスクである。
【００２４】
請求項を参照して、請求項において定義付けられる多種の特性は組み合わせて発生し得る、ことが留意される。
【図面の簡単な説明】
【００２５】
【図１】本発明に従ったディスクカートリッジの一実施例の断面図であり、作動位置におけるディスク、即ちカートリッジがディスクドライブにおいて位置付けられる際のディスクを図示する。
【図２】図１中の参照符号ＩＩを拡大して詳細を図示する。
【図３】図１及び図２に類似するが、停止中の固定位置におけるディスクを図示する。
【図４】図１及び図２に類似するが、停止中の固定位置におけるディスクを図示する。
【図１】
2007519154.tif 000003
【図２】
2007519154.tif 000004
【図３】
2007519154.tif 000005
【図４】
2007519154.tif 000006
【国際調査報告】
2007519154.tif 000007
2007519154.tif 000008
2007519154.tif 000009